(57)【特許請求の範囲】
【請求項１】
扉板の上端面又は下端面の少なくとも一方の長手方向の略全長にわたって把手が取り付けられる把手付き扉において、把手が取り付けられる扉板の端面を後面から前面にいくほど扉板の面方向に向かって突出させ、把手に扉板の後面から前面にいくほど扉板の面方向に向かって突出する手掛け部を形成すると共に、手掛け部の前端を扉板の前面と略同一面状に配置してなることを特徴とする把手付き扉。
【請求項２】
上記把手が取り付けられる扉板の端面が、扉板の後面から前面にいくほど扉板の面方向に向かって徐々に突出する傾斜状端面からなることを特徴とする請求項１記載の把手付き扉。
【請求項３】
上記把手が取り付けられる扉板の端面が、扉板の後面から前面にいくほど扉板の面方向への突出幅が階段状に変化する階段状端面からなることを特徴とする請求項１記載の把手付き扉。
【請求項４】
上記把手の後端から扉板の後面に固定される固定片を突出させたことを特徴とする請求項１乃至３のいずれかに記載の把手付き扉。
【請求項５】
上記把手の後端から固定片の突出方向と反対方向に起立片を突出させ、起立片の先端の突出高さを手掛け部の前端よりも高くしたことを特徴とする請求項４記載の把手付き扉。
【請求項６】
複数の扉板を上下に連続して設けた扉装置であって、請求項１乃至５のいずれかに記載の把手を、上下に隣接する扉板の対向する端面に各々取り付けると共に、把手の少なくとも一方を起立片を備えた把手を用いることを特徴とする扉装置。
【発明の詳細な説明】
【技術分野】
【０００１】
本発明は、把手付き扉及び該把手付き扉を備えた扉装置に関するものである。
【背景技術】
【０００２】
従来よりこの種の把手付き扉として、扉板の下端部に把手を取り付け、把手の手掛け金具を扉板の後面よりも後方に突出させると共に、手掛け金具の後端を下側の扉板の上端面に連結した構造が知られている（例えば、特許文献１参照）。
【０００３】
ところが、上記特許文献１に見られる従来例では、扉板の前方には把手の前端が露出し、扉板の後方には手掛け金具が大きく張り出して配置された構造となっているため、扉板の背後に手掛け部の分だけ必要なスペースを確保しなければならず、そのうえ上下の扉板間に上記スペース分だけ段差が生じることとなり、把手付き扉をコンパクト化できないという課題を有していた。
【特許文献１】特開２００１−１８６９４７号公報
【発明の開示】
【発明が解決しようとする課題】
【０００４】
本発明は上記の従来の問題点に鑑みて発明したものであって、把手の前方への露出量を少なくできると共に、把手が扉板の前後に大きく張り出すことがなく、納まり性・機能性に優れ、使い易く且つコンパクトな把手付き扉及び該扉を備えた扉装置を提供することを課題とするものである。
【課題を解決するための手段】
【０００５】
前記課題を解決するために本発明は、扉板１の上端面又は下端面の少なくとも一方の長手方向の略全長にわたって把手２が取り付けられる把手付き扉において、把手２が取り付けられる扉板１の端面１ａを後面１ｂから前面１ｃにいくほど扉板２の面方向Ａに向かって突出させ、把手２に扉板１の後面１ｂから前面１ｃにいくほど扉板１の面方向Ａに向かって突出する手掛け部３を形成すると共に、手掛け部３の前端３ａを扉板１の前面１ｃと略同一面状に配置してなることを特徴としている。
【０００６】
このような構成とすることで、把手２の手掛け部３の前端３ａだけが扉板１の前面１ｃ側に露出するので、把手２の前方への露出量を少なくでき、把手２の外観が良くなる。しかも、手掛け部３の前端３ａは扉板１の前面１ｃと略同一面状であるので、把手２の手掛け部３が扉板１の前方に大きく張り出すことがなくなり、また従来のように扉板の後方に手掛け部を配置するための無駄なスペースを確保する必要もない。
【０００７】
また、上記把手２が取り付けられる扉板１の端面１ａが、扉板１の後面１ｂから前面１ｃにいくほど扉板１の面方向Ａに向かって徐々に突出する傾斜状端面１ａ’からなることを特徴とするのが好ましく、この場合、扉板１を開く際に手掛け部３を手前に引く力の大部分が扉板１の傾斜状端面１ａ’で受け止められるので、扉板１の傾斜状端面１ａ’に対して把手２を強固に取り付けなくとも把手２がぐらついたり外れたりする心配がなく、従って、扉板１に対する把手２の取り付けの安定性を高めることができる。
【０００８】
また、上記把手２が取り付けられる扉板１の端面１ａが、扉板１の後面１ｂから前面１ｃにいくほど扉板１の面方向Ａに向かって階段状に突出する階段状端面１ａ”からなることを特徴とするのが好ましく、この場合、扉板１を開く際に手掛け部３を手前に引く力の大部分が扉板１の階段状端面１ａ”における垂直面部分１ｄで受け止められるので、扉板１に対する把手２の取り付けの安定性を一層高めることができる。
【０００９】
また、上記把手２の後端から扉板１の後面１ｂに固定される固定片５を突出させたことを特徴とするのが好ましく、この場合、固定片５を扉板１の後面１ｂに固定することで、扉板１の前面１ｃからは固定片５やビス頭が見えないようにでき、さらに、扉板１を開く際に手掛け部３を手前に引く力の大部分が扉板１の後面１ｂで受け止められるので、扉板１に対する把手２の取り付けの安定性を、より一層、高めることができる。
【００１０】
また、上記把手２の後端から固定片５の突出方向と反対方向に起立片４を突出させ、起立片４の先端の突出高さを手掛け部３の前端３ａよりも高くしたことを特徴とするのが好ましく、この場合、起立片４によって把手２の背後を目隠しする機能が得られ、納まり性に加えて機能性にも優れた把手２が得られる。
【００１１】
また、本発明は複数の扉板１を上下に連続して設けた扉装置であって、上記構成の把手２を、上下に隣接する扉板１の対向する端面１ａに各々取り付けると共に、把手２の少なくとも一方を起立片４を備えた把手２を用いることを特徴としている。
【００１２】
このように構成することで、例えば把手２の背後に位置する扉板１間の仕切り部の前面１ｃを把手２に設けた起立片４で覆い隠す機能が得られ、納まり性に加えて機能性にも優れた扉装置を得ることができる。
【発明の効果】
【００１３】
本発明は、把手が取り付けられる扉板の端面を後面から前面にいくほど扉板の面方向に向かって突出させ、把手に扉板の後面から前面にいくほど扉板の面方向に向かって突出する手掛け部を形成し、手掛け部の前端を扉板の前面と略同一面状に配置したことにより、把手の手掛け部の前端だけが扉板の前面側に露出するので、把手の前方への露出量を少なくでき、把手の外観が良くなり、また扉板の後面から前面にいくほど扉板の面方向に向かって突出する手掛け部の前端を扉板の前面と略同一面状に配置したことにより、把手の手掛け部が扉板の前方に張り出すことがなくてデザイン的にも優れたものとなり、扉板の前に立つ使用者に邪魔にならない構造となり、結果、納まり性・機能性に優れ、使い易く且つコンパクトな把手付き扉及び該扉を備えた扉装置を提供できるものである。
【発明を実施するための最良の形態】
【００１４】
以下、本発明を添付図面に示す実施形態に基いて説明する。
【００１５】
図１０は、玄関収納キャビネット６の一例を示し、複数の扉板１を上下左右に連続して設け、上下に隣接する扉板１の対向する端面１ａに本発明の把手２がそれぞれ取り付けられ、またキャビネット６下段の扉板１の上端面にも本発明の把手２が取り付けられている。
【００１６】
本発明の把手２が取り付けられる扉板１の端面１ａは、図２に示すように、扉板１の後面１ｂから前面１ｃにいくほど扉板１の面方向Ａに向かって徐々に突出する傾斜状端面１ａ’からなる。傾斜状端面１ａ’の傾斜角度θは例えば、４５°とされる。
【００１７】
上記把手２は、例えば、図１に示すように、扉板１の傾斜状端面１’の長手方向全長にわたって取り付けられている。この把手２は、図２に示すように、例えば横断面略Ｙ字状に形成されたアルミ成形品からなり、扉板１の後面１ｂに固定される固定片５と、固定片５の上端から上方に突出されて扉板１の後面１ｂ上端よりも上方に突出する起立片４と、固定片５の上端から斜め上前方に突出された手掛け部３とが一体形成されている。上記手掛け部３は、起立片４の内面と連続して滑らかな凹曲面とし且つその前端３ａはアール形状をして扉板１の前面１ｃ上端に係止しており、使用者の手に優しい感触を与えるようにしている。また、手掛け部３の前端３ａは扉板１の前面１ｃと略同一面状に配置されている。
【００１８】
上記固定片５は、図２に示すように、扉板１の後面１ｂに凹所７を設け、この凹所７に固定片５を収納しているので、固定片５の背面と扉板１の後面１ｂとが面一となり、把手２全体を扉板１の厚み寸法内に納めることができるようになっている。
【００１９】
上記起立片４は、把手２の後端から上方に突出して、後述のように把手２の背後を目隠しする働きをする。本例では起立片４の先端の突出高さは、手掛け部３の前端３ａと略同じである場合だけでなく、それよりも高くなっているのが望ましい。図６は起立片４の先端の突出高さを手掛け部３の前端３ａと略同じとした場合の一例を示しており、この実施形態では、起立片４の先端の突出高さは例えば１０ｍｍとする。図７は、起立片４の先端の突出高さを手掛け部３の前端３ａよりも高くした場合の一例を示しており、この実施形態では、固定片５の上下高さ寸法を例えば１０ｍｍ、固定片５の上端から起立片４の上端までの上下高さ寸法を例えば４０ｍｍ程度（＞手掛け部３の上下高さ寸法）とする。
【００２０】
しかして、上記構成の把手２が取り付けられる扉板１の端面１ａを後面１ｂから前面１ｃにいくほど扉板１の面方向Ａに向かって突出させると共に、把手２の手掛け部３の前端３ａを扉板１の前面１ｃと略同一面状に配置して、手掛け部３の前端３ａだけが扉板１の前面１ｃ側に露出するようにしたので、把手２の前方への露出量を少なくでき、把手２の外観が良くなる。しかも、手掛け部３の前端３ａを扉板１の前面１ｃと略同一面状に配置しているので、把手２の手掛け部３が扉板１の前方に張り出すことがなくなる。従って、デザイン的にも優れたものとなり、さらに扉板１の前に立つ使用者に邪魔にならない構造となり、使い易くなる。そのうえ従来のように扉板１の後方に手掛け金具を配置するための無駄なスペースを確保する必要もないので、納まり性に優れた把手２が得られ、結果、使い易く且つコンパクトな把手２付き扉板１を得ることができる。
【００２１】
また本例では扉板１の傾斜状端面１ａ’に沿って把手２を取り付けたので、扉板１を開く際に手掛け部３を手前に引く力の大部分が扉板１の傾斜状端面１ａ’で受け止められるようになり、従って、扉板１の傾斜状端面１ａ’に対して把手２を強固に取り付けなくとも把手２がぐらついたり外れたりする心配がなく、従って、扉板１に対する把手２の取り付けの安定性を高めることができる。しかも扉板１の上端面を斜めに加工するだけでよく、扉板１の加工に手間がかからず、また、把手２全体を薄板状にして手掛け部３を傾斜状端面１ａ’に沿う形状に成形するだけでよいため、材料コストを安価にでき且つ成形性にも優れた把手２が得られる。
【００２２】
しかも、起立片４によって把手２の背後を目隠しする機能が得られる。例えば図１０のように上下に隣接する扉板１の対向する端面１ａに把手２を各々取り付ける場合において、少なくとも下側の把手２に、起立片４付き把手２を用いることで、把手２の背後に位置する扉板１間の仕切り部の前面を起立片４によって覆い隠せるようになるので、見栄えが良くなる利点がある。
【００２３】
また本例では、手掛け部３の前端３ａを扉板１の前面１ｃ上端に引っ掛けた状態で、固定片５を扉板１の後面１ｂに当ててビス止めすることで、扉板１の前面１ｃから固定片５やビス頭が見えないようにしながら把手２を扉板１に確実に固定できるようになる。しかもビス止め個所が減るので、扉板１への固定作業に手間がかからないものであり、そのうえ、扉板１を開く際に手掛け部３を手前に引く力の大部分が固定片５を介して扉板１の後面１ｂで受け止められるので、扉板１に対する把手２の取り付け状態を一層安定させることができる。
【００２４】
なお、図３に示すように、扉板１の後面１ｂに凹所を設けず、後面１ｂ上に固定片５を固定するようにしてもよい。この場合でも、固定片５の厚み分しか扉板１の後方に突出しないので、扉板１の後方への張り出しが小さく、納まりを良好に保つことができる。
【００２５】
固定片５の更に他例として、図４に示すように、手掛け部３の後半部を固定片５として機能させるようにしてもよい。つまり、手掛け部３の略中央部から起立片４を起立させると共に、起立片４よりも後側を固定片５とし、この固定片５を扉板１の傾斜状端面１ａ’の後部にビス止めする。これにより、把手２から扉板１の後面１ｂに当たる部分をなくすことができるので、扉板１の厚みのバラツキに関係なく、把手２を扉板１の傾斜状端面１ａ’に対して確実に固定できるようになる。また本例では、起立片４の根元部分４ａを傾斜状端面１ａ’と直角方向に延ばしているので、ビス１０を固定片５に対して垂直向きに螺合する際に起立片４がビス止め作業の妨げになることがなく、ビス止め作業がはかどる。
【００２６】
また図９に示すように、固定片５の下端部に、扉板１の後面１ｂに係合する面に係合片１１を屈曲形成してもよい。この場合、係合片１１が扉板１の後面１ｂに食いこむことによって、扉板１に対する把手２の取付強度を一層高めることができる。
【００２７】
前記実施形態では扉板１の端面１ａを傾斜状端面１ａ’としたが、これに代えて、図５に示すように、扉板１の後面１ｂから前面１ｃにいくほど扉板１の面方向Ａへの突出幅が階段状に変化する階段状端面１ａ”で構成してもよい。他の構成は図２と同様であり、対応する部分には同一符号を付しておく。本例では、扉板１を開く際に手掛け部３を手前に引く力の大部分が扉板１の階段状端面１ａ”における垂直面部分１ｄで受け止められるので、扉板１に対する把手２の取り付けの安定性を一層高めることができるものであり、また手掛け部３を薄板状にして階段状端面１ａ”に沿う形状に成形することで、材料コストを安価にでき且つ成形性にも優れた把手２が得られるものである。
【００２８】
ところで、把手２を例えばアルミ成形品とした場合、アルミ端面のエッジ面をエッジプレート１２で覆うのが望ましい。エッジプレート１２には、図８に示すように、把手２の起立片４の後面に設けたアリ溝状凹所１３（図９）に横方向から嵌合する嵌合リブ１７と、手掛け部３の下面前側に設けたアリ溝状凹所１４（図９）に横方向から嵌合する嵌合リブ１８と、手掛け部３の下面の根元側に設けた略三角状凹所１５（図９）に横方向から嵌合する嵌合リブ１９と、固定片５の前面１ｃに設けたアリ溝状凹所１６（図９）に横方向から嵌合する嵌合リブ２０とが一体に形成されている。これにより、アルミエッジが外部に露出することがないため、安全性を確保できると共に、エッジプレート１２をネジ等を用いないで凹凸嵌合によって簡単且つ確実に取り付けることができる利点がある。
【００２９】
本発明の把手付き扉及び扉装置は、引出し全般の前板に利用でき、また家具以外に洗面化粧台や流し台のキャビネット等にも広く利用できるものである。
【図面の簡単な説明】
【００３０】
【図１】本発明の一実施形態の把手付き扉の一例を示し、（ａ）は正面図、（ｂ）側面図、（ｃ）は平面図である。
【図２】同上の扉板の傾斜状端面に把手を取り付けた場合の側面断面図である。
【図３】同上の扉板の傾斜状端面に把手を取り付けた場合の他例の側面断面図である。
【図４】同上の扉板の傾斜状端面に把手を取り付けた場合の更に他例の側面断面図である。
【図５】同上の扉板の階段状端面に把手を取り付けた場合の側面断面図である。
【図６】（ａ）は同上の扉板の下端面に把手を取り付けた場合の正面図、（ｂ）は側面図、（ｃ）は把手の拡大側面図である。
【図７】（ａ）は同上の扉板の上端面に把手を取り付けた場合の正面図、（ｂ）は側面図、（ｃ）は把手の拡大側面図である。
【図８】（ａ）は同上の把手のアルミエッジを覆うためのエッジプレートの正面図、（ｂ）は斜視図である。
【図９】同上の把手の固定片の先端に係合片を設けた場合の側面図である。
【図１０】（ａ）は同上の把手付き扉を使用するキャビネットの正面図、（ｂ）は（ａ）のＣ−Ｃ線断面図、（ｃ）は（ａ）のＤ−Ｄ線断面図、（ｄ）は平面図、（ｅ）は（ｂ）（ｃ）のＦ部の拡大図、（ｆ）は（ｂ）のＥ部の拡大図である。
【符号の説明】
【００３１】
１  扉板
１ａ  端面
１ａ’  傾斜状端面
１ａ”  階段状端面
１ｂ  後面
１ｃ  前面
２  把手
３  手掛け部
３ａ  前端
４  起立片
５  固定片
Ａ  扉板の厚み方向
【図１】
0004572787.tif 000002
【図２】
0004572787.tif 000003
【図３】
0004572787.tif 000004
【図４】
0004572787.tif 000005
【図５】
0004572787.tif 000006
【図６】
0004572787.tif 000007
【図７】
0004572787.tif 000008
【図８】
0004572787.tif 000009
【図９】
0004572787.tif 000010
【図１０】
0004572787.tif 000011